(57)【要約】【課題】簡単に組み立てることができ、緩むことがないように固定状態を適切に維持でき、部品点数を削減できる回動ハンドル機構及び不凍水栓柱を提供する。【解決手段】外筒１０に固定されて同軸の軸孔１２を備える固定本体部材１１と、軸孔１２に内嵌して軸心を中心に回動できる回動部材２０と、外筒１０の端部に配されて回動部材２０の周囲を囲う筒部３１を備えるハンドルベース３０と、回動部材２０と一体に回動するハンドル４０と、回動部材２０が抜け出ることを防止する抜け止めの段部５２を備える中間筒状部５１、固定本体部材１１の周溝１３に外側から嵌る内爪５４を有すると共に、ハンドルベース３０の筒部３１の内側面３２によって外側から規制されて周溝１３から外れることが阻止される外嵌内爪部５３、及びハンドルベース３０の筒部３１の筒端３３に内側から嵌る外爪を有する内嵌外爪部５５を備える押え爪部材５０とを具備する。【選択図】図１
2018080479.tif 000002
【特許請求の範囲】
【請求項１】
外筒の端部近傍に該外筒と同軸に固定されていると共に同軸の軸孔を備える固定本体部材と、
該固定本体部材の軸孔に同軸に、中途部のフランジ状部から一端側に形成された嵌合部が内嵌して軸心を中心に回動できるように配された回動部材と、
前記外筒の端部に固定されるように配され、前記回動部材の他端側である露出部が軸方向に突き出た状態に、該回動部材の周囲を囲うように設けられた筒部を備えるハンドルベースと、
前記回動部材の前記露出部に係合して該回動部材と一体的になり、固定された前記ハンドルベースに対して回動するハンドルと、
前記回動部材が前記固定本体部材から抜け出ることを阻止するように、前記中途部のフランジ状部に係合する抜け止めの段部を備えて筒体状に形成された中間筒状部、該中間筒状部の一端側から複数の脚状に延長された形状に設けられて前記固定本体部材の周溝に外側から嵌って係止するように内側へ突起した内爪を有すると共に、前記ハンドルベースの筒部の内側面によって外側から規制されて前記周溝から外れることが阻止される外嵌内爪部、及び前記中間筒状部の他端側から複数の脚状に延長された形状に設けられて前記ハンドルベースの筒部の筒端に内側から嵌って係止するように外側へ突起した外爪を有する内嵌外爪部を備える押え爪部材とを具備することを特徴とする回動ハンドル機構。
【請求項２】
前記外筒が、四角形の長尺の筒体状に設けられていることを特徴とする請求項１記載の回動ハンドル機構。
【請求項３】
前記ハンドルベースに、前記ハンドルが外嵌して所要の範囲で往復回動できるように係合すると共に、前記ハンドルベースのクリック部に前記ハンドルの被クリック部が係止することを特徴とする請求項１又は２記載の回動ハンドル機構。
【請求項４】
前記ハンドルベースに対して前記ハンドルが往復回動できる角度範囲が、９０度であることを特徴とする請求項１〜３のいずれかに記載の回動ハンドル機構。
【請求項５】
請求項１〜４のいずれかに記載の回動ハンドル機構を備える不凍水栓柱において、
前記固定本体部材が、出水口部を側部に備えて該出水口部によって前記外筒に固定される水柱管の上管部材であると共に、
前記回動部材が、往復回動を往復直線動に変換するカム機構のカム溝部を備える回動スピンドルであって、
前記カム溝部に係合する平行ピンが上部に装着され、前記回動スピンドルの下側に同軸に配されて上下方向に往復動できる上下動スピンドルと、
該上下動スピンドルの下側に同軸に連結されて上下方向の往復動を伝達する連結ロッドと、
該連結ロッドの下側に同軸に連結されて上下方向に往復動をするスピンドル状弁体と、
該スピンドル状弁体の上下動によって通水状態と水抜状態とを切り換える弁機構とを備えることを特徴とする不凍水栓柱。
【発明の詳細な説明】
【技術分野】
【０００１】
本発明は、外筒に固定されて同軸の軸孔を備える固定本体部材と、前記軸孔に内嵌して軸心を中心に回動できる回動部材と、前記外筒の端部に配されて前記回動部材の周囲を囲う筒部を備えるハンドルベースと、前記回動部材と一体的になって回動するハンドルとを備える回動ハンドル機構及びその回動ハンドル機構を用いた不凍水栓柱に関する。
【背景技術】
【０００２】
従来、回動ハンドル機構を用いた不凍水栓柱としては、送水部と出水部間に接続し、ハンドルの操作により通水状態又は水抜状態に切換える不凍水栓柱において、外筒部の上端に取付け、かつ前記ハンドルを回動可能に支持する回動支持機構部及び前記ハンドルの操作角範囲を少なくとも９０〔゜〕に規制し、当該操作角範囲の一方のエンドと他方のエンドでクリック的に係止する角度規制部を有するハンドル支持機構と、前記ハンドルの回動変位を直進変位に変換するカム部を用いた運動変換機構と、弁部が直進変位することにより前記通水状態又は前記水抜状態に切換える弁機構と、前記運動変換機構の直進変位を前記弁部に伝達する伝達機構を備え、前記運動変換機構は、軸方向変位が規制され、かつ回動可能に支持されるとともに、上端に前記ハンドルに係合する係合部を有し、かつ下端に傾斜したカムスリットを外周面に設けた筒状の前記カム部を有する上スピンドルと、回動方向変位が規制され、かつ軸方向変位可能に支持されるとともに、上端に前記カム部に挿入する挿入軸部及びこの挿入軸部の外周面から突出して前記カムスリットに追従する従動ピンを設けた従動部を有し、かつ下端が前記伝達機構に結合する下スピンドルを備えて構成する（特許文献１参照）ものが、本出願人によって提案されている。
【０００３】
この従来の不凍水栓柱では、保持プレートが上管部（固定本体部材）の上端に螺合されて固定されることによって、上キャップ（ハンドルベース）及び規制リングが、外筒部（外筒の端部）に装着され、同時に、その保持プレートの固定によって、上スピンドル（回動部材）の抜け止めをする構造になっている。すなわち、ハンドル、上キャップ（ハンドルベース）、規制リング及び保持プレートの四つの部材を備え、保持プレートの螺子によって固定されることで、回動ハンドル機構が構成される構造になっている。
【先行技術文献】
【特許文献】
【０００４】
【特許文献１】特許第３９９８６３５号公報（請求項１）
【発明の概要】
【発明が解決しようとする課題】
【０００５】
回動ハンドル機構及び不凍水栓柱に関して解決しようとする課題は、従来の構成では保持プレートの螺子によって固定される構造であるため、その螺子による固定の短所を解決できないことにある。すなわち、より合理的な装着構造となって、簡単に組み立てることができ、緩むことがないように固定状態を適切に維持でき、部品点数を削減できる回動ハンドル機構及び不凍水栓柱が提案されていないことにある。
【０００６】
そこで、本発明の目的は、より合理的な装着構造となって、簡単に組み立てることができ、緩むことがないように固定状態を適切に維持でき、部品点数を削減できる回動ハンドル機構及び不凍水栓柱を提供することにある。
【課題を解決するための手段】
【０００７】
本発明は上記目的を達成するために次の構成を備える。
本発明にかかる回動ハンドル機構の一形態によれば、外筒の端部近傍に該外筒と同軸に固定されていると共に同軸の軸孔を備える固定本体部材と、該固定本体部材の軸孔に同軸に、中途部のフランジ状部から一端側に形成された嵌合部が内嵌して軸心を中心に回動できるように配された回動部材と、前記外筒の端部に固定されるように配され、前記回動部材の他端側である露出部が軸方向に突き出た状態に、該回動部材の周囲を囲うように設けられた筒部を備えるハンドルベースと、前記回動部材の前記露出部に係合して該回動部材と一体的になり、固定された前記ハンドルベースに対して回動するハンドルと、前記回動部材が前記固定本体部材から抜け出ることを阻止するように、前記中途部のフランジ状部に係合する抜け止めの段部を備えて筒体状に形成された中間筒状部、該中間筒状部の一端側から複数の脚状に延長された形状に設けられて前記固定本体部材の周溝に外側から嵌って係止するように内側へ突起した内爪を有すると共に、前記ハンドルベースの筒部の内側面によって外側から規制されて前記周溝から外れることが阻止される外嵌内爪部、及び前記中間筒状部の他端側から複数の脚状に延長された形状に設けられて前記ハンドルベースの筒部の筒端に内側から嵌って係止するように外側へ突起した外爪を有する内嵌外爪部を備える押え爪部材とを具備する。
【０００８】
また、本発明にかかる回動ハンドル機構の一形態によれば、前記外筒が、四角形の長尺の筒体状に設けられていることを特徴とすることができる。
【０００９】
また、本発明にかかる回動ハンドル機構の一形態によれば、前記ハンドルベースに、前記ハンドルが外嵌して所要の範囲で往復回動できるように係合すると共に、前記ハンドルベースのクリック部に前記ハンドルの被クリック部が係止することを特徴とすることができる。
【００１０】
また、本発明にかかる回動ハンドル機構の一形態によれば、前記ハンドルベースに対して前記ハンドルが往復回動できる角度範囲が、９０度であることを特徴とすることができる。
【００１１】
また、本発明にかかる不凍水栓柱の一形態によれば、上述の回動ハンドル機構を備える不凍水栓柱において、前記固定本体部材が、出水口部を側部に備えて該出水口部によって前記外筒に固定される水柱管の上管部材であると共に、前記回動部材が、往復回動を往復直線動に変換するカム機構のカム溝部を備える回動スピンドルであって、前記カム溝部に係合する平行ピンが上部に装着され、前記回動スピンドルの下側に同軸に配されて上下方向に往復動できる上下動スピンドルと、該上下動スピンドルの下側に同軸に連結されて上下方向の往復動を伝達する連結ロッドと、該連結ロッドの下側に同軸に連結されて上下方向に往復動をするスピンドル状弁体と、該スピンドル状弁体の上下動によって通水状態と水抜状態とを切り換える弁機構とを備える。
【発明の効果】
【００１２】
本発明にかかる回動ハンドル機構及び不凍水栓柱によれば、より合理的な装着構造となって、簡単に組み立てることができ、緩むことがないように固定状態を適切に維持でき、部品点数を削減できるという特別有利な効果を奏する。
【図面の簡単な説明】
【００１３】
【図１】本発明に係る回動ハンドル機構の形態例を示す断面図である。
【図２】図１の形態例の断面を一部に含む斜視図である。
【図３】図１の形態例の押え爪部材に係る装着工程を説明する断面図である。
【図４】図３の状態の断面を一部に含む斜視図である。
【図５】図１の形態例のハンドルに係る装着工程を説明する断面図である。
【図６】図５の状態の断面を一部に含む斜視図である。
【図７】本発明に係る回動ハンドル機構を用いた不凍水栓柱の形態例であって、通水状態を示す正面中央縦断面図である。
【図８】図７の形態例の側面中央縦断面図である。
【図９】図７の形態例の止水・水抜状態を示す正面中央縦断面図である。
【発明を実施するための形態】
【００１４】
以下、本発明に係る回動ハンドル機構を用いた不凍水栓柱の形態例を添付図面（図１〜８）に基づいて詳細に説明する。本形態例に係る回動ハンドル機構は、ハンドル４０が、所要の角度を往復回動できるものである。なお、本発明の回動ハンドル機構は、一回転（３６０度）以内の往復回動に限定されるものではなく、複数回の回転動が一方向の回動になって往復回動をする操作ができる機構についても適用できるものである。
【００１５】
１１は固定本体部材（上管部材）であり、外筒１０の内側で且つ端部近傍にその外筒１０と同軸に固定されていると共に同軸の軸孔１２を備える。本形態例では、その固定本体部材１１が、出水口部１４（図２又は図７など参照）を側部に備えてその出水口部１４によって外筒１０に固定される水柱管１５の上管部材１１になっている。また、本形態例の上管部材１１の軸孔１２は、軸方向に貫通する貫通孔になっている。なお、本形態例の不凍水栓柱の水柱管１５は、前述の上管部材１１と、その下側に接続された立上り管１６と、さらにその立上り管１６の下側に接続された弁機構の本体部材７２とによって構成されている。
【００１６】
２０は回動部材（回動スピンドル）であり、固定本体部材１１の軸孔１２に同軸に、中途部のフランジ状部２１から一端側に形成された嵌合部２２が内嵌して軸心を中心に回動できるように配されている。すなわち、この回動部材２０は、中途部のフランジ状部２１の下面が、上管部材１１の軸孔１２を構成する上端周縁１２ａの上面に当接することで、一端側（本形態例では下方側）への変位が防止されるように規制された状態で、回動が許容されるように配されている。また、この回動部材２０の他端側には露出部２３が形成されている。
【００１７】
そして、本形態例では、その回動部材２０が、往復回動を往復直線動に変換するカム機構６０のカム溝部２５（図７〜９など参照）を備える回動スピンドル２０になっている。なお、本形態例のカム溝部２５は、ヘリコイド機構を利用する螺旋状の溝になっている。この回動スピンドル２０の他端側（本形態例では上方側）に形成された露出部２３は、本形態例では、後述するハンドル４０と係合するように、円柱の側周の両側（二箇所）が切欠かれた切欠き面２３ａ、２３ａを備える形態に設けられている。
【００１８】
３０はハンドルベースであり、外筒１０の端部に固定されるように配され、回動部材２０の他端側である露出部２３が軸方向に突き出た状態に、その回動部材２０の周囲を囲うように設けられた筒部３１を備える。本形態例のハンドルベース３０は、四角形の長尺の筒体状に設けられている外筒１０に対応して、外形が、平面視で四角形に形成されている。さらに、本形態例のハンドルベース３０では、断面が正方形の外筒１０に対して、その外筒１０の端部の内側に嵌って回動を阻止する位置決め用突起３４が、裏面（本形態例では下面）の四隅にそれぞれ突起し、全体形状としては平面視で正方形に形成されている。
【００１９】
４０はハンドルであり、回動部材２０の露出部２３に係合してその回動部材２０と一体的になり、固定されたハンドルベース３０に対して回動するように設けられている。本形態例では、図２などに示すように、回動スピンドル２０の切欠き面２３ａ、２３ａが形成された露出部２３に上側から外嵌して連結係合するように、連結係合部４１が、ハンドル４０の内側に下向きに設けられている。また、本形態例のハンドル４０では、ハンドル４０の方向を示すように、上面と出水口部１４が開口する側になる正面とに渡って、Ｌ字状の表示部材４５が固着されている。
【００２０】
５０は押え爪部材であり、回動部材２０（回動スピンドル）が固定本体部材（上管部材）１１から抜け出ることを阻止すると共に、ハンドル４０が装着されたハンドルベース３０を固定するように設けられており、中間筒状部５１、外嵌内爪部５３、及び内嵌外爪部５５を備える。また、本形態例の押え爪部材５０には、内側に、一対の回り止め突起５７が形成されている。この一対の回り止め突起５７は、上管部材１１の上端周縁１２ａの上面から下方に切り込まれた形状に設けられた一対のスリット１２ｂに外側から嵌って、その押え爪部材５０の回り止めがなされる。また、本形態例の一対のスリット１２ｂは、後述する平行ピン６１の両端が内側から嵌って、その平行ピン６１を上下方向に案内するように設けられており、回動スピンドル２０の往復回動を後述する上下動スピンドル６２の往復直線動に変換するように構成されている。
【００２１】
この押え爪部材５０の中間筒状部５１は、回動部材（回動スピンドル）２０の中途部のフランジ状部２１に係合する抜け止めの段部５２を備えて筒体状に形成されている。本形態例の段部５２は、その水平な段の面が、回動スピンドル２０の中途部のフランジ状部２１の上面に当接すると共に、その中途部のフランジ状部２１の周側面に外嵌するように、下側に段状に拡径した形態になっている。なお、５８はシール用筒部であり、図３に示すように、段部５２に連続して内側に筒状に形成され、回動スピンドル２０の露出部２３の周溝に外嵌されたＯ‐リング２６を介して、その回動スピンドル２０との間で水密シールを行い、外部からの雨水の侵入を防止できるように設けられている。
【００２２】
また、押え爪部材５０の外嵌内爪部５３は、中間筒状部５１の一端側から複数の脚状に延長された形状に設けられて固定本体部材（上管部材）１１の周溝１３に外側から嵌って係止するように内側へ突起した内爪５４を有すると共に、ハンドルベース３０の筒部３１の内側面３２によって外側から規制されて周溝１３から外れることが阻止される。
【００２３】
本形態例の外嵌内爪部５３では、図４に示すように、中間筒状部５１の下端側から複数（本形態例では六片）の脚状に延長された形状に設けられた複数（本形態例では六片）の下側延設部５３ａを備え、その下側延設部５３ａの各々に、内側へ突起した内爪５４が設けられており、各下側延設部５３ａの弾性を利用して、内爪５４が上管部材１１の周溝１３に外側から嵌るように形成されている。
【００２４】
また、本形態例では、複数の外嵌内爪部５３の内爪５４が周溝１３から外れることを阻止するために、その複数の外嵌内爪部５３の外側を取巻くように外嵌されるハンドルベース３０の筒部３１の内側面３２であって、その外嵌内爪部５３に接する部位が、下側延設部５３ａに広く接して必要以上に強く規制しないように、上下に延びる線状の凸部３２ａ（図２及び図６など参照）に形成されている。これによれば、ハンドルベース３０の筒部３１の内側面３２における外嵌内爪部５３の外側に接する面積が小さくなるため、過度な規制や接触となって損傷が発生することを防止できると共に、組み立ての際には、必要以上に強く嵌め合うことを防止して適正に装着できる。
【００２５】
また、押え爪部材５０の内嵌外爪部５５は、中間筒状部５１の他端側から複数の脚状に延長された形状に設けられてハンドルベース３０の筒部３１の筒端３３に内側から嵌って係止するように外側へ突起した外爪５６を有する。
【００２６】
本形態例の内嵌外爪部５５では、図４に示すように、中間筒状部５１の上端側から複数（本形態例では六片）の脚状に延長された形状に設けられた複数（本形態例では六片）の上側延設部５５ａを備え、その上側延設部５５ａの各々に、外側へ突起した外爪５６が設けられており、各上側延設部５５ａの弾性を利用して、外爪５６がハンドルベース３０の筒部３１の筒端３３に内側から嵌るように形成されている。
【００２７】
なお、本形態例の外爪５６が係止するハンドルベース３０の筒部３１の筒端３３であって、その外爪５６が係止するために接する部位は、その係止が必要以上に強くならないように、前述した線状の凸部３２ａの端面になっている。これによれば、外爪５６が過度に接触することによって生じる損傷を防止できると共に、組み立ての際には、必要以上に強く嵌め合うことを防止して適正に装着できる。
【００２８】
以上の構成を備える回動ハンドル機構及びそれを用いた不凍水栓柱によれば、より合理的な装着構造となって、簡単に組み立てることができ、緩むことがないように固定状態を適切に維持でき、部品点数を削減できるという特別有利な効果を奏する。すなわち、特許文献１の構成であるハンドル、上キャップ（ハンドルベース）、規制リング及び保持プレートの四つの部材に対して、本発明では、ハンドル４０、ハンドルベース３０及び押え爪部材５０の三つの部材で構成でき、部品点数を一つ削減できると共に、ネジ込み作業を廃して、嵌め込み作業によって、ハンドル構造を装着できる。このため、螺子に係る緩みの心配をなくすことができると共に、組み立ての作業性を向上できるという特別有利な効果を奏する。
【００２９】
また、本形態例では、ハンドルベース３０に、ハンドル４０が外嵌して所要の範囲で往復回動できるように係合すると共に、ハンドルベース３０のクリック部３７にハンドル４０の被クリック部４３が係止するように設けられている。これによれば、操作者は、クリック感によって、ハンドル４０の回動を停止させる適切な角度位置にあることを、簡単に認識でき、適切な操作を行うことができる。
【００３０】
さらに、本形態例では、ハンドルベース３０に対してハンドル４０が往復回動できる角度範囲が、９０度であるように設定されている。これによれば、外筒１０の断面形状が正方形に形成され、ハンドル４０も正方形に形成されている場合は、正四角形であるため、９０度の回動の前後で外観的にシルエットが同じ四角柱の形態の安定的な形態になり、その操作が簡単で分かり易いと共に、デザイン性にも優れているというメリットがある。
【００３１】
本形態例のハンドル４０とハンドルベース３０との係合関係の詳細を、図２及び図６などに基づいて説明する。ハンドルベース３０に断続的に設けられ、装着された際に水平な位置状態に配される鍔状に設けられた鍔状係合部３５と、該鍔状係合部３５に係合するように、平面形状が正方形で下方に開口された形状の箱状のハンドル４０において、そのハンドル４０の下端近傍で内側の辺の中央部に相当する内面の位置で、対称位置の四箇所に突起して設けられた被係合部４２と、ハンドルベース３０の四箇所に設けられたクリック部３７と、ハンドル４０の二箇所に設けられた被クリック部４３とを備えている。
【００３２】
本形態例に係るハンドルベース３０の断続的に設けられた鍔状係合部３５は、図２及び図６に示すように、円周の外側面から拡径する方向（外方）へ突起した形状に、四箇所においては、角度範囲が大きく（本形態例では６０度）設けられており、その他の二箇所においては、ハンドル４０がハンドルベース３０に装着される際に、ハンドル４０の被係合部４２が乗り越えて係合する部分であって、角度範囲としては小さく爪状に形成されている爪形の鍔状係合部３５ａが設けられている。
【００３３】
また、本形態例のクリック部３７は、図２及び図６に示すように、ハンドルベース３０の鍔状係合部３５の上側に一体に突起した形態に設けられ、回動規制端３７ｂと、クリックをする係止溝３７ａを備えており、９０度の角度間隔で対になって、二つのセットが、円周等分位置に配されている。これに対応して、本形態例の被クリック部４３は、係止溝３７ａに嵌って回動規制端３７ｂによって回動が規制されて係止されるように、ハンドル４０を形成する箱形の壁部のうちの対向する一対の内面であって、辺の中央部に相当する位置に二つの小さく突起する形状に設けられている。
【００３４】
以上の構成を備える本形態例の回動ハンドル機構の組み立て工程について、図１〜６に基づいて以下に説明する。
先ず、図３及び図４に示すように、回動スピンドル２０が、上管部材１１の軸孔１２に同軸に、嵌合部２２が内嵌されることで取り付けられ、図５及び図６に示すように、押え爪部材５０が、回動スピンドル２０が上管部材１１から抜け出ることを阻止されるように、内爪５４が上管部材１１の周溝１３に嵌るように上から圧力をかけて押し込むことで取り付けられる。
【００３５】
また、図５及び図６に示す状態では、ハンドル４０が、ハンドルベース３０に装着されており、前述したように、ハンドルベース３０の鍔状係合部３５に、ハンドル４０の被係合部４２が係合していることで、両者が容易には分離できないと共に、ハンドルベース３０のクリック部３７とハンドル４０の被クリック部４３との関係によって、本形態例では、ハンドルベース３０に対してハンドル４０が、９０度の範囲で往復回動が許容される状態となっている。
【００３６】
そして、図１及び図２に示すように、ハンドルベース３０の位置決め用突起３４が外筒１０に内嵌され、その外筒１０に対するハンドルベース３０の回動が阻止されてその外筒１０の端面を覆うと共に、ハンドル４０の連結係合部４１が回動スピンドル２０の露出部２３に外嵌されて連結係合されるように、ハンドル４０が装着されたハンドルベース３０を、上から圧力をかけて押し込むことで取り付けられ、回動ハンドル機構の組み立て工程がなされる。
【００３７】
そして、この組み立て工程では、押え爪部材５０の内嵌外爪部５５の外爪が、ハンドルベース３０の筒部３１内側面３２を乗り越えて筒端３３に内側から嵌って係止した状態となり、ハンドルベース３０が固定されると共に、ハンドル４０が外筒１０の端に装着された状態となる。また、同時に、ハンドルベース３０の筒部３１内側面３２が、押え爪部材５０の外嵌内爪部５３を外側から規制して、その押え爪部材５０が抜け出ることを適切に防止する状態になっている。このため、回動ハンドル機構を適切に構成して外筒１０に装着できると共に、この組み立て工程は、嵌め合い作業のみによって行うことができ、前述したように、ネジ込みによる作業を要しない利点がある。
【００３８】
次に、図７〜９に基づいて、固定本体部材１１が、出水口部１４を側部に備えてその出水口部１４によって外筒１０に固定される水柱管１５の上管部材１１であると共に、回動部材２０が、往復回動を往復直線動に変換するカム機構６０のカム溝部２５を備える回動スピンドル２０である回動ハンドル機構を備える不凍水栓柱の構成について簡単に説明する。なお、回動ハンドル機構は、以上に説明したものと同一であり、各構成については同一の符号を付して説明を省略する。
【００３９】
６２は上下動スピンドルであり、回動スピンドル２０のカム溝部２５に係合する平行ピン６１が上部に装着され、回動スピンドル２０の下側に同軸に配されて上下方向に往復動できるように設けられている。また、６４は連結ロッドであり、スプリングピン６３によって、上下動スピンドル６２の下側に同軸に連結されて上下方向の往復動を伝達するように設けられている。なお、６６はＯ‐リングであり、上下動スピンドル６２に装着されており、水抜き時に下方へ変位されることで、エアシール状態が解除されて上方から水柱管１５内に空気が入り、その水柱管１５内の水が重力で排出されて水抜きが行われることになる。
【００４０】
７０は弁機構であり、スプリングピン６５によって、連結ロッド６４の下側に同軸に連結されて上下方向に往復動をするスピンドル状弁体７１と、そのスピンドル状弁体７１の上下動によって通水状態と水抜状態とを切り換えることができるように設けられている。図７及び図８は、通水状態を示しており、スピンドル状弁体７１がカム機構６０によって上方に変位している。また、７５は水抜通路であり、７６は球弁であって、図９のように、ハンドル４０の操作によってスピンドル状弁体７１が下方に変位して水抜状態となった際には、球弁７６が水柱管１５内からの水圧で押し上げられて、水抜通路７５が開通するように構成されている。なお、弁機構７０、カム機構６０及び水柱管１５の構成は、特許文献１の発明の構成と同一であり、詳細な説明を省略する。
【００４１】
本発明に係る回動ハンドル機構は、以上に説明したように不凍水栓柱の回動ハンドル機構として好適に適用できると共に、水抜きの機能を備えない水栓柱にも好適に適用できるなど、他の弁機構の回動ハンドル機構として好適に用いることができるのは勿論である。さらに、本発明に係る回動ハンドル機構は、往復回動を、上下動などの往復直線動に変換する動作機構として、他の技術分野にも適用できるものである。
【００４２】
以上、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００４３】
１０  外筒
１１  固定本体部材、上管部材
１２  軸孔
１２ａ  上端周縁
１２ｂ  スリット
１３  周溝
１４  出水口部
１５  水柱管
１６  立上り管
２０  回動部材、回動スピンドル
２１  中途部のフランジ状部
２２  嵌合部
２３  露出部
２３ａ  切欠き面
２５  カム溝部
２６  Ｏ‐リング
３０  ハンドルベース
３１  筒部
３２  内側面
３２ａ  凸部
３３  筒端
３４  位置決め用突起
３５  鍔状係合部
３５ａ  爪形の鍔状係合部
３７  クリック部
３７ａ  係止溝
３７ｂ  回動規制端
４０  ハンドル
４１  連結係合部
４２  被係合部
４３  被クリック部
４５  表示部材
５０  押え爪部材
５１  中間筒状部
５２  段部
５３  外嵌内爪部
５３ａ  下側延設部
５４  内爪
５５  内嵌外爪部
５５ａ  上側延設部
５６  外爪
５７  回り止め突起
５８  シール用筒部
６０  カム機構
６１  平行ピン
６２  上下動スピンドル
６３  スプリングピン
６４  連結ロッド
６５  スプリングピン
６６  Ｏ‐リング
７０  弁機構
７１  スピンドル状弁体
７２  弁機構の本体部材
７５  水抜通路
７６  球弁
【図１】
2018080479.tif 000003
【図２】
2018080479.tif 000004
【図３】
2018080479.tif 000005
【図４】
2018080479.tif 000006
【図５】
2018080479.tif 000007
【図６】
2018080479.tif 000008
【図７】
2018080479.tif 000009
【図８】
2018080479.tif 000010
【図９】
2018080479.tif 000011